(57)【要約】【課題】上方に向け開口する被破砕物の投入口を有した破砕装置と、この破砕装置の近傍に設けられた作業デッキを備える破砕機のキャノピーが、作業デッキ上の作業者を十分に覆い、かつ破砕装置の投入口の上方に破砕装置内の被破砕物をワイヤロープにより吊上げ取り出す作業の邪魔にならないようにする。【解決手段】キャノピー（１４）が、作業デッキ（１２）を覆うルーフ（２８）と、ルーフ（２８）に形成された破砕装置（１０）の投入口（８）の上方を開放する開口部（３０）とを備える。【選択図】図１
2006231271.tif 000002
【特許請求の範囲】
【請求項１】
上方に向け開口する被破砕物の投入口を有した破砕装置と、
この破砕装置の近傍に設けられた作業デッキと
を備える破砕機のキャノピーであって、
作業デッキ全体を実質上覆うルーフと、
ルーフに形成された破砕装置の投入口の上方を開放する開口部と
を備えている、
ことを特徴とする破砕機のキャノピー。
【請求項２】
ルーフが、開口部を開閉自在に覆うカバー部材を備えている、
ことを特徴とする請求項１記載の破砕機のキャノピー。
【発明の詳細な説明】
【技術分野】
【０００１】
本発明は、破砕機に好適なキャノピーに関する。
【背景技術】
【０００２】
破砕機の典型例は、上方に開口する被破砕物の投入口を有した破砕装置と、破砕装置の近傍で作業者が破砕装置の運転、点検、保守などを行う作業デッキを備えている（例えば、特許文献１参照）。
【０００３】
破砕装置の代表例は、Ｖ字状に上方を拡げ組み合わされた一対の動歯板および受歯板を備えている。投入口にホッパーから投入された被破砕物は、一対の歯板の間で押し潰され、下方の隙間で規定される粒度の破砕物に生成される（例えば、特許文献２参照）。
【０００４】
被破砕物としては、採石場における原石、建造物解体において発生するコンクリート塊、道路工事で発生するアスファルト塊など多種多様である。したがって、破砕機は、採石現場、工事現場など、主に屋外において稼動する。
【０００５】
この種破砕機には通常、作業デッキ上の作業者を覆う天蓋であるキャノピーを備えていない。そこで、炎天下などでの作業におけるキャノピー設置の要望に応えて開発された破砕機が、特願２００４−１７６４８６号（出願日：平成１６年６月１５日、発明の名称：自走式破砕機）の明細書および図面に開示されている。
【特許文献１】特開平２０００−３２５８１９号公報（第２−４図）
【特許文献２】特開平９−９５６号公報（第１図）
【発明の開示】
【発明が解決しようとする課題】
【０００６】
しかしながらキャノピーを備えた破砕機には、次のとおりのさらなる改善の望まれている課題がある。
【０００７】
すなわち、破砕機による破砕作業においては、破砕装置の一対の歯板の間に被破砕物が詰まり破砕装置がロックすることがある。このロックを解除するには詰まった被破砕物を取り除く必要があるが、詰まった被破砕物が大きな塊あるいは鉄骨のような場合には、クレーンを用いワイヤロープにより吊り上げ投入口の上方に引き抜く必要がある。
【０００８】
しかしながら、破砕機の作業デッキ上を覆う大きさのルーフを備えると、ルーフがワイヤロープによる被破砕物の吊上げ作業の邪魔になり、ブレーカー、バーナーなどを用いて詰まった被破砕物を小分けにするために、作業に多くの時間が必要になる。場合によってはキャノピーのルーフの取り外し、そして再組立が必要になる。
【０００９】
本発明は上記事実に鑑みてなされたもので、その技術的課題は、破砕機の作業デッキ上の作業者を十分に覆う大きさのルーフを備え、かつ破砕装置の投入口の上方に破砕装置内の被破砕物をワイヤロープにより吊上げ取り出す作業の邪魔にならない、破砕機のキャノピーを提供することである。
【課題を解決するための手段】
【００１０】
本発明によれば上記技術的課題を解決する破砕機のキャノピーとして、上方に向け開口する被破砕物の投入口を有した破砕装置と、この破砕装置の近傍に設けられた作業デッキとを備える破砕機のキャノピーであって、作業デッキ全体を実質上覆うルーフと、ルーフに形成された破砕装置の投入口の上方を開放する開口部とを備えていることを特徴とする破砕機のキャノピーが提供される。
【００１１】
好適には、ルーフは、開口部を開閉自在に覆うカバー部材を備えている。
【発明の効果】
【００１２】
本発明に従って構成された破砕機のキャノピーは、作業デッキ全体を実質上覆う大きさのルーフと、このルーフに形成された破砕装置の投入口の上方を開放する開口部を備えている。したがって、作業デッキ上の作業者を十分に覆うことができ、また破砕装置の投入口の上方に破砕装置内の被破砕物をワイヤロープにより吊上げ取り出す作業の邪魔にもならない。
【発明を実施するための最良の形態】
【００１３】
以下、本発明に従って構成された破砕機のキャノピーについて、自走式破砕機における好適実施形態を図示している添付図面を参照して、さらに詳細に説明する。
【００１４】
図１を参照して説明する。全体を番号２で示す自走式破砕機は、無限軌道式の走行体４を有した機体６上に、上方に向け開口する略矩形状の被破砕物の投入口８を有した破砕装置１０と、破砕装置１０の近傍に設けられた作業デッキ１２と、作業デッキ１２の上に設置されたキャノピー１４を備えている。
【００１５】
機体６はさらに、機体６の前後方向の一側（図１の右側）に、例えば油圧ショベルのような積込機械によって被破砕物が投入されるホッパー１６、およびホッパー１６の被破砕物を投入口８に送るフィーダ１８を備えている。
【００１６】
機体６の前後方向の他側（図１の左側）には、エンジン、油圧源などの動力源が収容されたパワーユニット２０を備えている。
【００１７】
機体６の下部には、破砕装置１０により生成された破砕物を機体６のパワーユニット２０が備えられた他側の外方に搬出する排出コンベア２２を備えている。
【００１８】
破砕装置１０および機体６の運転、点検、保守などの作業は、作業者が作業デッキ１２の上に搭乗して行なわれる。
【００１９】
破砕装置１０は、周知のＶ字状に上方を拡げ組み合わされた一対の動歯板１０ａおよび受歯板１０ｂを備えたものであり、本発明の新規特徴を構成するものではないので、その詳細についての説明は省略する。ホッパー１６からフィーダ１８によって投入口８に送られた被破砕物は、この一対の歯板１０ａ、１０ｂの間で押し潰され、下方の隙間で規定される粒度の破砕物に生成され、排出コンベア２２上に落下する。
【００２０】
作業デッキ１２について図１とともに図２を参照して説明する。作業デッキ１２は、機体６の左右幅方向（図１（ａ）図２の上下方向、図１（ｂ）の紙面に垂直方向）の両側部、破砕装置１０の両側の投入口８の側からパワーユニット２０までの間に、一側に側部デッキ１２ａ、他側に側部デッキ１２ｂを備えている。側部デッキ１２ａ、１２ｂそれぞれの外縁には、乗降用のステップ２４ａ、２４ｂならびにハンドレール２６ａ、２６ｂを備えている。
【００２１】
キャノピー１４について図１および図２とともに図３を参照して説明する。キャノピー１４は、作業デッキ１２全体を実質上覆う矩形の略平板状に形成されたルーフ２８と、ルーフ２８の矩形の周縁の一辺の部分に形成された、破砕装置１０の投入口８の上方に位置した開口部３０を備えている。開口部３０は矩形凹状に破砕装置１０の投入口８の上方を開放する大きさに、すなわち機体６の左右幅方向および前後方向の一側を投入口８の周縁と略同じにして、前後方向の他側をホッパー１６の側に開放し形成されている。ルーフ２８の開口部３０には、開口部３０を開閉自在に覆うカバー部材３２を備えている。
【００２２】
ルーフ２８およびカバー部材３２は、キャノピー１４のルーフとして周知の材料、例えば鋼フレームにキャンバスあるいはプラスチックシートを張って、あるいはこれらに強化プラスチックや金具類も含めた一体成形によって形成される。
【００２３】
ルーフ２８は、作業デッキ１２の側部デッキ１２ａ、１２ｂそれぞれのハンドレール２６ａ、２６ｂの部分に立設された支柱３４ａ、３４ｂによって、ルーフ本体２９が支持されている。
【００２４】
カバー部材３２について図３とともに図４および図５を参照して説明する。カバー部材３２は、開口部３０を開閉自在に覆う矩形状に形成され、一端側である開口部３０の矩形凹状の底部側に、機体６の左右幅方向に伸び、軸心Ｘを規定し、幅方向両側に突出し、ルーフ本体２９に支持された軸３２ａを備えている。カバー部材３２はこの軸心Ｘを中心に開閉される。
【００２５】
カバー部材３２の他端側には、カバー部材３２をルーフ本体２９に開閉自在に閉じ位置に止める一対の係止手段３６、３７を備えている。係止手段３６、３７は機体６の幅方向において対称に形成される以外は実質的に同一である。
【００２６】
主として図５を参照して説明する。係止手段３６は、カバー部材３２に一体的に取り付けられ係止穴３６ａが形成されたブラケット３６ｂと、ルーフ本体２９に一体的に取り付けられたブラケット３６ｃと、ブラケット３６ｃに取り付けられ係止穴３６ａに挿脱を自在に係合するピン３６ｄを有したプランジャ３６ｅを備えている。
【００２７】
プランジャ３６ｅは、例えばインデックスプランジャのような周知のものでよく、ブラケット３６ｃにねじ込み固定された本体３６ｆと、本体３６ｆの中を摺動自在に設けられた上記のピン３６ｄと、ピン３６ｄの抜き差しを操作するノブ３６ｇを備えている。ピン３６ｄは内蔵のコイルばねによって常に突出する方向に付勢されている。
【００２８】
主として図４を参照して説明する。カバー部材３２は、一対の係止手段３６，３７それぞれのノブ３６ｇを操作して、カバー部材３２の係止穴３６ａに係合したピン３６ｄを抜き係止手段３６，３７を解除すると、軸心Ｘを中心に矢印Ｙで示す下方に自重により揺動落下して開放される。
【００２９】
上述したとおりの破砕機のキャノピー１４の作用について説明する。
【００３０】
主として図１を参照して説明する。本発明に従って構成された破砕機のキャノピー１４は作業デッキ１２全体を実質上覆う大きさのルーフ２８と、ルーフ２８に形成された破砕装置１０の投入口８の上方を開放する開口部３０を備えている。したがって、作業デッキ１２上の作業者をルーフ２８で十分に覆うことができるとともに、開口部３０を通して（カバー部材３２が備えられた場合にはそれを開けた状態にして）破砕装置１０の投入口８内に詰まった被破砕物ＨをワイヤロープＷにより吊上げ取り出すことができる。
【００３１】
この開口３０を通すワイヤロープＷは、破砕装置１０に詰まった被破砕物Ｈの取り出しだけでなく、例えば破砕装置１０の歯板１０ａ、１０ｂの交換作業などにおける吊り作業にも用いることができる。
【００３２】
ルーフ２８は、開口部３０を開閉自在に覆うカバー部材３２を備えている。したがって、開口部３０を開口する必要のないときにはカバー部材３２で覆うことにより、ルーフ２８を日除け、雨除けとしてより有効に活用し、また破砕装置１０への防塵、防水を図ることができる。
【００３３】
カバー部材３２は、一端側の軸線Ｘを中心に開閉自在に取り付けられ、他端側の係止手段３６，３７により閉位置に係止され、係止手段３６、３７の解除により下方に自重により揺動落下して開放される。したがって開口部３０を簡単に開放することができる。
【００３４】
以上、本発明を実施例に基づいて詳細に説明したが、本発明は上記の実施例に限定されるものではなく、例えば下記のように、本発明の範囲内においてさまざまな変形あるいは修正ができるものである。
【００３５】
本発明の実施例においては、開口部３０はルーフ２８の周縁の一辺の部分に矩形凹状に形成されているが、破砕装置１０の投入口８とルーフ２８の位置関係によっては、開口部をルーフ２８に穴状に、あるいはルーフ２８の周縁の一部に切欠き状になど、適宜に形成すればよい。
【００３６】
本発明の実施例においては、開口部３０は投入口８の上方において投入口８の全てを開放する大きさに形成されているが、この開口部の大きさはそれを用いる作業の形態などに応じて、ワイヤロープ、被破砕物などを通す適宜の大きさに、大きくあるいは小さく形成してもよい。
【００３７】
本発明の実施例においては、キャノピー１４のルーフ２８の開口部３０に開閉自在なカバー部材３２が備えられているが、日除け、雨除けなどにおいて不都合でなければ備えなくてもよい。
【００３８】
本発明の実施例においては、開口部３０に開閉自在なカバー部材３２が備えられているがカバー部材は必ずしも開閉式である必要はない。例えばシート状に形成し、巻き上げあるいは跳ね上げもしくは折り畳んで開口部３０を開口するようにしてもよい。あるいはカバー部材を着脱自在に備えてもよい。
【図面の簡単な説明】
【００３９】
【図１】本発明に従って構成された破砕機のキャノピーを装備した自走式破砕機の構成の説明図で、（ａ）は上方から見た平面図、（ｂ）は側面図。
【図２】図１（ａ）のキャノピーを除いて作業デッキおよび破砕装置の部分を拡大して示した図。
【図３】図１に示すキャノピーの拡大平面図。
【図４】図３のＡ−Ａ矢印方向にキャノピーのカバー部材の部分を見た拡大断面図。
【図５】図３のＢ−Ｂ矢印方向に見てカバー部材の係止手段の部分を見た拡大図。
【符号の説明】
【００４０】
２：自走式破砕機（破砕機）８：投入口１０：破砕装置１２：作業デッキ１４：キャノピー２８：ルーフ３０：開口部３２：カバー部材Ｈ：被破砕物Ｗ：ワイヤロープ
【図１】
2006231271.tif 000003
【図２】
2006231271.tif 000004
【図３】
2006231271.tif 000005
【図４】
2006231271.tif 000006
【図５】
2006231271.tif 000007